(57)【要約】【課題】鎌首が突出した状態において引戸を強く閉めた際、鎌首が戸柱に激突することで生じる作動不良を改善する鎌錠を提供することを提供すること。【解決手段】鎌錠本体１０が延在する方向に移動自在に配設され、前方側に連結部材３の後方連結点と回動自在に連結する第１連結点３２を、後方側に操作部材４と係止する切欠部２２を有する板状の鎌作動部材２と、鎌錠本体１０の前部側に、施錠位置と開錠位置の間を揺動するように枢支された所定長さを有し、且つ連結部材３の前方連結点と回動自在に連結する第２連結点１１を有する鎌部材１と、鎌作動部材２と鎌部材１間に介在し、鎌部材１の第２連結点と回動自在に連結する前方連結点と、鎌作動部材２の第１連結点と回動自在に連結する後方連結点とを有する連結部材３と、先端突起４２が鎌作動部材２の切欠部に係止する操作部材４を備える鎌錠本体１０を有する鎌錠１０Ａ。【選択図】図１
2019157529.tif 000002
【特許請求の範囲】
【請求項１】
引戸により開閉される出入り口構成用枠体に設けられた受具と対向する引戸の先端面から内方へ延在して装着される鎌錠本体を有する鎌錠であって、
該鎌錠本体は、下記（ｉ）〜（iv）； 
（ｉ）該鎌錠本体の後部側に、該鎌錠本体が延在する方向に移動自在に配設され、前方側に連結部材の後方連結点と回動自在に連結する第１連結点を、後方側に操作部材と係止する切欠部を有する板状の鎌作動部材；
（ii）該鎌錠本体の前部側に、施錠位置と開錠位置の間を揺動するように枢支された所定長さを有し、且つ該連結部材の前方連結点と回動自在に連結する第２連結点を有する鎌部材；
（iii）該鎌作動部材と該鎌部材間に介在し、該鎌部材の第２連結点と回動自在に連結する前方連結点と、該鎌作動部材の第１連結点と回動自在に連結する後方連結点とを有する連結部材；
（iv）該鎌錠本体の後部側に、鎌部材が回動する方向と同方向に回動自在に配置され、且つ先端突起が鎌作動部材の切欠部に係止する操作部材；
を備えることを特徴とする鎌錠。
【請求項２】
該第１連結点は、第１軸孔であり、該後方連結点は、該第１軸孔に嵌る第１短軸であることを特徴とする請求項１記載の鎌錠。
【請求項３】
該第２連結点は、第２軸孔であり、該前方連結点は、該第２軸孔に嵌る第２短軸であることを特徴とする請求項１又は２記載の鎌錠。
【請求項４】
該連結部材は、前方端に該第２短軸が形成され、後方端に該第１短軸が形成され、該第１短軸の突出方向と該第２短軸の突出方向は逆方向に突出していることを特徴とする請求項３記載の鎌錠。
【請求項５】
該連結部材は、平面視厚さ（ｔ１）の角部を有する第１部材と、該第１部材の一端から直角に屈曲する中間基部と、該中間基部の屈曲先端から、該第１部材とは反対方向に延びる平面視厚さ（ｔ２）の角部を有する第２部材とからなる平面視がクランク形状であり、該中間基部の平面視厚み（ｔ３）≦（（ｔ１）＋（ｔ２））であることを特徴とする請求項４記載の鎌錠。
【請求項６】
該第２連結点は、枢支位置より上方であることを特徴とする請求項１〜５のいずれか１項に記載の鎌錠。
【発明の詳細な説明】
【技術分野】
【０００１】
本発明は、引戸の側端面から鎌錠本体の鎌部材が突出して、出入り口構成用枠体に設けられた受具に係止する引戸用鎌錠に関するものである。
【背景技術】
【０００２】
引戸に使用される鎌錠については種々の機構のものが報告されている。施錠の操作方法から見ると、操作部材（操作レバー）を回動する施錠方法、操作部材を鎌錠本体が延在する方向（引戸の移動方向）に移動させる方法、あるいは操作部材を鎌錠本体が延在する方向と直交する方向（引戸の先端面に沿った方向で通常上下方向）に移動させる方法がある。操作部材は、鎌部材に直接、連結するものや、中間部材（鎌作動部材）を介在してリンクを形成し、鎌部材を回転させるものがある。
【０００３】
特開２００２−２０１８４０号公報には、引戸の内部に埋め込まれる引戸錠本体と、開口部を有し、表面が上記引戸の端面と略一致するように上記引戸に取付けられる縦長のフロントプレートと、上記引戸錠本体に設けられた揺動軸回りに揺動して、上記フロントプレートの開口部から出没する鎌と、上記鎌に一端を接続すると共に他端を駆動機構に接続し、この駆動機構からの力によって上記鎌を揺動させる駆動リンクと、上記鎌を突出位置および没入位置に向って付勢する付勢手段とを備える引戸錠において、上記駆動リンクの他端に、上記駆動機構に接続するための接続孔を少なくとも２つ設けた引戸錠が開示されている。この引戸錠は部品点数が少ない簡易な構造であり、操作レバー（鎌作動部材）は引戸錠本体が延在する方向に移動させるものである。
【０００４】
また、図７〜図９に示す鎌錠が知られている。この鎌錠を構成する鎌錠本体１００は、鎌錠本体１００の後部側に、鎌錠本体１００が延在する方向に移動自在に配設され、前方側に鎌部材１０１と回動自在に連結する連結点１０４を、後方側に操作部材１０３と係止する切欠部１０５を有する板状の鎌作動部材１０２と、鎌錠本体１００の前部側に、施錠位置と開錠位置の間を揺動するように枢支された所定長さを有し、且つ枢支位置より上方で鎌作動部材１０２の連結点１０４と回動自在に連結する鎌部材１０１と、鎌錠本体１００の後部側に、鎌部材１０１が回動する方向と同方向に回動自在に配置され、且つ先端突起が鎌作動部材１０２の切欠部１０５に係止する操作部材１０３を備えるものである。このような鎌錠は、図７（Ａ）において、操作部材１０３を左回転させて鎌作動部材１０２を引戸の先端面方向に直線移動させる。これにより、鎌部材１０１は施錠方向に回動するというものである。なお、符号１０６は施錠時又は開錠時を保持する戻り防止部材である。
【先行技術文献】
【特許文献】
【０００５】
【特許文献１】特開２００２−２０１８４０号公報
【発明の開示】
【発明が解決しようとする課題】
【０００６】
このように、従来の鎌部材と直接、連結する板状の鎌作動部材（駆動リンク）が、鎌錠本体が延在する方向に移動自在に配設されるものは、概して、鎌作動部材を支持する前方点（鎌部材との連結点）と、後方点（操作部材との係止点）間の距離が長い。また、鎌作動部材において、鎌部材と操作部材の連結点は、鎌作動部材の平面視で幅方向の中心上にはなく、幅方向に少しずれている。これは、これらの連結点が、鎌作動部材に形成された貫通孔と、鎌部材又は操作部材の側方向に突出する短軸との係止だからである。この場合、施錠及び開錠の際、鎌作動部材に掛かる作用力のため、厚みの薄い鎌作動部材が幅方向に撓む傾向にある（図９参照）。実際、図７（Ｃ）の鎌状本体１００において、鎌部材１０１を外側から内側に強く押圧する押し込み試験において、鎌作動部材１０２の撓みが確認されている。すなわち、鎌首が突出した状態において引戸を強く閉めた際、鎌首が戸柱に激突し、鎌作動部材１０２が撓むことで部材間に不具合が発生して作動不良を起こすという問題があった。
【０００７】
従って、本発明の目的は、鎌首が突出した状態において引戸を強く閉めた際、鎌首が戸柱に激突することで生じる作動不良を改善する鎌錠を提供することにある。
【課題を解決するための手段】
【０００８】
すなわち、本発明は上記従来の課題を解決するものであって、引戸により開閉される出入り口構成用枠体に設けられた受具と対向する引戸の先端面から内方へ延在して装着される鎌錠本体を有する鎌錠であって、該鎌錠本体は、下記（ｉ）〜（iv）； 
（ｉ）該鎌錠本体の後部側に、該鎌錠本体が延在する方向に移動自在に配設され、前方側に連結部材の後方連結点と回動自在に連結する第１連結点を、後方側に操作部材と係止する切欠部を有する板状の鎌作動部材；
（ii）該鎌錠本体の前部側に、施錠位置と開錠位置の間を揺動するように枢支された所定長さを有し、且つ該連結部材の前方連結点と回動自在に連結する第２連結点を有する鎌部材；
（iii）該鎌作動部材と該鎌部材間に介在し、該鎌部材の第２連結点と回動自在に連結する前方連結点と、該鎌作動部材の第１連結点と回動自在に連結する後方連結点とを有する連結部材；
（iv）該鎌錠本体の後部側に、鎌部材が回動する方向と同方向に回動自在に配置され、且つ先端突起が鎌作動部材の切欠部に係止する操作部材；を備えることを特徴とする鎌錠を提供するものである。
【０００９】
また、本発明は、該第１連結点は、第１軸孔であり、該後方連結点は、該第１軸孔に嵌る第１短軸であることを特徴とする前記鎌錠を提供するものである。
【００１０】
また、本発明は、該第２連結点は、第２軸孔であり、該前方連結点は、該第２軸孔に嵌る第２短軸であることを特徴とする前記鎌錠を提供するものである。
【００１１】
また、本発明は、該連結部材は、前方端に該第２短軸が形成され、後方端に該第１短軸が形成され、該第１短軸の突出方向と該第２短軸の突出方向は逆方向に突出していることを特徴とする前記鎌錠を提供するものである。
【００１２】
また、本発明は、該連結部材は、平面視厚さ（ｔ１）の角部を有する第１部材と、該第１部材の一端から直角に屈曲する中間基部と、該中間基部の屈曲先端から、該第１部材とは反対方向に延びる平面視厚さ（ｔ２）の角部を有する第２部材とからなる平面視がクランク形状であり、該中間基部の平面視厚み（ｔ３）≦（（ｔ１）＋（ｔ２））であることを特徴とする前記鎌錠を提供するものである。
【００１３】
また、本発明は、該第２連結点は、枢支位置より上方であることを特徴とする前記鎌錠を提供するものである。
【発明の効果】
【００１４】
本発明によれば、厚みの薄い板状の鎌作動部材を、鎌錠本体が延在する方向に短いものを使用し、且つ鎌作動部材と鎌部材間に連結部材を介在させたため、鎌部材を外側から内側に強く押圧しても、鎌作動部材は撓むことはない。このため、鎌首が突出した状態において引戸を強く閉めた際、鎌首が戸柱に激突することで生じる作動不良を改善することができる。
【図面の簡単な説明】
【００１５】
【図１】本発明の実施の形態における鎌錠本体の分解斜視図である。
【図２】図１の鎌錠本体の反対方向から見た分解斜視図である。
【図３】図１の鎌錠本体を構成する鎌部材と連結部材の斜視図である。
【図４】図１の鎌錠本体を構成する連結部材の平面図である。
【図５】図１の鎌錠本体の作動を説明する図であり、（Ａ）は施錠状態であり、（Ｂ）は開錠途中であり、（Ｃ）は開錠状態である。
【図６】図５（Ｂ）における平面図である。
【図７】従来の鎌錠本体の作動を説明する図であり、（Ａ）は開錠状態であり、（Ｂ）は施錠途中であり、（Ｃ）は施錠状態である。
【図８】図７の鎌錠本体における鎌部材と鎌作動部材の連結点を説明する部分側面図である。
【図９】図７の鎌錠本体における鎌作動部材の撓みを説明する図である。
【発明を実施するための形態】
【００１６】
本発明の鎌錠１０Ａは、引戸により開閉される出入り口構成用枠体に設けられた受具７と、引戸に受具７と対向する引戸の先端面から内方へ延在して装着される鎌錠本体１０と、操作部材４を作動させる引戸の側面に設置される不図示の操作手段からなるものである。本発明において、引戸の側面に設置される操作手段は、周知のものであり、鎌錠本体１０を両側から挟み込む第１側面プレート（引戸の裏側）と第２側面プレート（引戸の表側）を備える。第１側面プレートは鎌錠本体の内部機構（操作部材）を作動させる操作レバーを内蔵する。
【００１７】
次に、本発明の実施の形態における鎌錠を、図１〜図６を参照して説明する。なお、本明細書において、「前方」とは、受具７と対向する引戸の先端面が前方側であり、「後方」とは、鎌錠本体１０が延在する内部方向、すなわち奥側である。鎌錠１０Ａは、引戸により開閉される出入り口構成用枠体に設けられた受具７と対向する引戸の先端面から内方へ延在して装着される鎌錠本体１０を有するものであって、鎌錠本体１０は、板状の鎌作動部材２と、鎌部材１と、鎌作動部材２と鎌部材１間に介在する連結部材３と、鎌作動部材２を作動させる操作部材４を有する。
【００１８】
鎌作動部材２は、鎌錠本体１０の後部側に、鎌錠本体１０が延在する方向に移動自在に配設され、前方側に連結部材３の後方連結点３１と回動自在に連結する第１連結点２１を、後方側に操作部材４と係止する切欠部２２を有する。後方連結点３１とは、連結部材３における後方連結位置の意味である。鎌作動部材２は、板状体であるものの、鎌錠本体１０が延在する方向の長さが従来の鎌作動部材２に比して短くできるため、押し込み試験における撓みの問題は発生しない。第１連結点２１は、貫通孔である第１軸孔であり、連結部材３の後方連結点３１である第１短軸が回動自在に嵌る。また、切欠部２２は、板状体の後方側の下方に、下端から上方へ切り欠かれたものである。切り欠き形状は、操作部材４の先端係止部４２の形状に対応したものであり、山形状で且つ山の頂部が四角形となったものである。
【００１９】
鎌作動部材２は、前方端から後方に延びる前方ガイド溝２４と、前方ガイド溝２４よりやや下方で後方端から前方に延びる後方ガイド溝２３とを有する。前方ガイド溝２４と後方ガイド溝２３は、鎌錠本体１０の左側ケース部材６ａに付設された短軸６２、６３にそれぞれガイドされるものであり、鎌作動部材２の鎌錠本体１０が延在する方向の移動を円滑にする。鎌作動部材２の移動は、図５の左右方向においての直線移動である。
【００２０】
鎌作動部材２の後方側の上端には、凹部２５１と、凹部２５１に隣接する前方側には凸部２５２が形成されている。これにより、凸部２５２の前後に、それぞれ凹部が形成される。この凹部には、戻り防止部材５の前方端の微小突起５４が係止し、これにより、鎌作動部材２の施錠時及び開錠時における動きが規制される。
【００２１】
鎌部材１は、鎌錠本体１０の前部側に、施錠位置と開錠位置の間を揺動するように枢支された所定長さを有し、且つ連結部材１０の前方連結点３２と回動自在に連結する第２連結点１１を有する。第２連結点１１は、貫通孔である第２軸孔であり、連結部材３の前方連結点３２である第２短軸が回動自在に嵌る。鎌部材１が、鎌錠本体１０の左右の両側ケース部材６ａ、６ｂに枢支される枢支点は、鎌部材１の鎌首１３とは反対方向の端部に位置し、外側に延びる短軸１２である。すなわち、本例では、鎌部材１の第２連結点１１は、枢支点である短軸１２の上方に位置するため、鎌首１３は、施錠時、下方へ回動する動きであり、開錠時、上方へ回動する動きとなる。鎌部材１の鎌首１３の厚み及び短軸１２が付設される基部の厚みは、共に両側ケース部材６ａ、６ｂ間に極僅かな隙間を形成するような寸法である。
【００２２】
連結部材３は、鎌作動部材２と鎌部材１間に介在し、鎌部材１の第２連結点１１と回動自在に連結する前方連結点３２と、鎌作動部材２の第１連結点２１と回動自在に連結する後方連結点３１とを有する。前方連結点は前方連結位置を言い、第１連結点は第１連結位置を言う。鎌部材１の第２連結点１１は、第２軸孔であり、連結部材３の前方連結点３２は、第２軸孔に嵌る第２短軸である。また、鎌作動部材２の第１連結点２１は、第１軸孔であり、連結部材３の後方連結点３１は、第１軸孔に嵌る第１短軸である。すなわち、連結部材３は、前方端に第２短軸が形成され、後方端に該第１短軸が形成され、第１短軸の突出方向と該第２短軸の突出方向は鎌錠本体１０の厚み方向において、互いに逆方向に突出している。また、連結部材３は、図４に示すように、平面視厚さ（ｔ１）の角部を有する第１部材３３と、第１部材３３の一端から直角に屈曲する中間基部３５と、中間基部３５の屈曲先端から、第１部材３３とは反対方向に延びる平面視厚さ（ｔ２）の角部を有する第２部材３４とからなる平面視がクランク道路形状であり、中間基部３５の平面視厚み（ｔ３）≦（（ｔ１）＋（ｔ２））である。この内、中間基部３５の平面視厚み（ｔ３）が概ね（（ｔ１）＋（ｔ２））と同じとなるものが好ましい。これにより、連結部材３を厚みの太い剛性の高いものにでき、また、幅方向における他の部材との連結を安定させることができる。
【００２３】
操作部材４は、引戸の裏側の第１側面プレートに内在する操作レバー（不図示）と連動するものであり、操作レバーを作動させることで、側面視における左回転又は右回転をする。操作部材４は、鎌錠本体１０の後部側に、鎌部材１が回動する方向と同方向に回動自在に配置され、且つ先端突起４２が鎌作動部材２の切欠部２２に係止するものである。操作部材４は、横円柱状の基部４１と、基部の周面から上方に延びる先端突起４２とからなり、基部４１の中心は、操作軸（不図示）が嵌合する軸孔４３が形成されている。操作軸は操作レバーから延びるものである。従って、操作レバーを左に回せば、操作部材４も左に回動し、操作レバーを右に回せば、操作部材４も右に回動する。先端突起４２は、鎌作動部材２の切欠部２２の先端の四角形状に対応する形状となっている。これにより、先端突起４２が切欠部２２に嵌り、鎌作動部材２を確実に作動させることができる。
【００２４】
戻り防止部材５は、任意の構成要素であり、施錠時又は開錠時、鎌作動部材２の移動を保持するものである。戻り防止部材５は、縦長の板状体であり、上端には鎌錠本体１０の幅方向に屈曲する上部係止片５１が形成され、下端には鎌錠本体１０の幅方向に屈曲する下部係止片５２が形成されている。上部係止片５１は、鎌錠本体１０の上部に固定されたバネ部材７の一端に当接しており、下部係止片５２は、操作部材４の先端突起４２に当接している。また、上下方向のやや上方の前方端には微小突起５４が形成されている。微小突起５４は、鎌作動部材２の上部の凹凸２５に係止して、施錠時又は開錠時、鎌作動部材２の移動を規制する。また、上下方向のやや下方には上下に長い長孔５３が形成されている。長孔５３は、左側ケース部材６ａの側面突起６２が嵌り、戻り防止部材５が、左右方向にズレることなく、上下方向に移動するようガイドするものである。
【００２５】
鎌錠本体１０は、両側プレート６ａ、６ｂ間に、鎌部材１、板状の鎌作動部材２、連結部材３及び操作部材４を組み込んで形成される。すなわち、鎌部材１は、鎌錠本体１０の前方部において、左側プレート６ａに形成された係止孔に鎌部材１の短軸１２を嵌めることで位置が決まる。次いで、鎌作動部材２の前方ガイド溝２４を、左側プレート６ａの固定第１短軸６３に合わせ、後方ガイド溝２３を左側プレート６ａの固定第２短軸６２に合わせることで位置が決まる。次いで、連結部材２３の第２短軸３２を、鎌部材１の第２軸孔１１に嵌め、連結部材２３の第１短軸３１を、鎌作動部材２の第１軸孔２１に嵌める。次いで、操作部材４の基部４１を、両側プレート６ａ、６ｂの軸貫通用孔６１ａ、６１ｂに合わせる。次いで、戻り防止部材５の長孔５３を左側プレート６ａの固定第２短軸６２（側面突起）に合わせることで位置が決まる。この際、戻り防止部材５の上部係止片５１はバネ部材７の一端に当たるように、下部係止片５２が操作部材４の先端突起４２に当たるようにする。これにより、戻り防止部材５は、バネ部材７により、常時下方向へバネ付勢されている。
【００２６】
次に、鎌錠１０Ａの操作方向について、図５を参照して説明する。図５（Ａ）は、操作部材４の先端突起４２が前方斜め方向に向いた状態、すなわち、鎌作動部材２を前方向へ移動させた状態のもので、施錠位置である。すなわち、操作部材４の先端突起４２が鎌作動部材２の切欠部２２に係止しており、戻り防止部材５の微小突起５４は、鎌作動部材２の後方の凹部２５１に係止しており、操作部材４を操作しない限り、鎌作動部材２がこの状態から前方へも後方へも動かないようにロックしている。
【００２７】
次に、図５（Ａ）の施錠状態から図５（Ｂ）、（Ｃ）の開錠状態とするには、操作部材４を図５における右方向に回動させる。これにより、鎌作動部材２は、後方へ移動する。鎌作動部材２は、固定第１短軸６３及び固定第２短軸６２のガイドにより、直線運動をする。鎌作動部材２の後方への移動に連動して、連結部材３も後方に引っ張られ、鎌部材１の鎌首１３が持ち上がる（図５（Ｂ））。操作部材４が、図５（Ｂ）のような起立状態となると、バネ部材７のバネ力に抗して戻り防止部材５が持ち上がり、鎌作動部材２の凸部２５２上に戻り防止部材５の微小突起５４が位置することになる。更に、操作部材４を図５における右方向に回動させる。これにより、鎌作動部材２は、更に後方へ移動する。鎌作動部材２の後方への移動に連動して、連結部材３も後方に引っ張られ、鎌部材１の鎌首１３は完全に持ち上がり、開錠となる（図５（Ｃ））。この状態において、戻り防止部材５の微小突起５４は、鎌作動部材２の前方の凹部２５３に係止しており、操作部材４を操作しない限り、鎌作動部材２がこの状態から前方へ動くことはない。これにより、操作部材４を操作しない限り、開錠状態から施錠状態になることを防止している。次いで、図５（Ｃ）の開錠状態から図５（Ｂ）、（Ａ）の施錠状態とするには、上記施錠状態から開錠状態の逆の操作、すなわち、操作部材４を図５における左方向に回動させる操作を行えばよく、その説明を省略する。
【００２８】
鎌錠１０Ａにおいて、連結部材３は特定のクランク道路形状をしており、基部の厚みが太く、且つ前後端の第１短軸３１と第２短軸３２が互いに反対方向に延びている。このため、鎌作動部材２の移動力を鎌部材１にロスなく伝えることができる。また、厚みの薄い鎌作動部材２を鎌錠本体１０が延在する方向における寸法を短くしたため、押し込み試験における幅方向の撓みはほとんどない。このため、鎌首が突出した状態において引戸を強く閉めた際、鎌首が戸柱に激突することで生じる作動不良を改善することができる。
【００２９】
本発明の鎌錠は、上記実施の形態例に限定されず、種々の変形を採ることができる。鎌部材１は、鎌首が下がる下方掛りであるが、これに限定されず、鎌首が上がる上方掛りであってもよい。この場合、鎌部材１において、側プレートの枢支位置と、連結部材３と連結する連結点を上下逆にすればよい。すなわち、連結部材３と連結する連結点を枢支位置より下方にし、鎌部材を上下逆に設置すればよい。
【産業上の利用可能性】
【００３０】
本発明によれば、操作力を確実に、鎌部材に伝達できる。また、鎌首が突出した状態において引戸を強く閉めた際、鎌首が戸柱に激突することで生じる作動不良を改善することができ、使用勝手がよい。
【符号の説明】
【００３１】
１、１０１    鎌部材
２、１０２    鎌作動部材
３、    連結部材
４、１０３      操作部材
５、１０６    戻り防止部材
１０          鎌錠本体
１０Ａ、１００  鎌錠
【図１】
2019157529.tif 000003
【図２】
2019157529.tif 000004
【図３】
2019157529.tif 000005
【図４】
2019157529.tif 000006
【図５】
2019157529.tif 000007
【図６】
2019157529.tif 000008
【図７】
2019157529.tif 000009
【図８】
2019157529.tif 000010
【図９】
2019157529.tif 000011